(57)【特許請求の範囲】
【請求項１】
燃焼ガスが露点以下の温度となることにより生成されるドレンを、中和剤が充填された容器内を流通させることで中和するものであって、前記容器内部を、前記容器の上壁部から前記容器の底壁部側に向かって略垂直方向に伸設し、前記容器内にドレンを導入させる導入口が設けられた第１ドレン室と前記容器外にドレンを排出させる排出口が設けられた第２ドレン室とに仕切る垂下壁と、該垂下壁の下端側に前記第１ドレン室と前記第２ドレン室とを連通させる水封連通部と、前記第２ドレン室の天面に前記容器内を前記容器外と連通する大気連通部と、前記第１ドレン室内上部に前記第１ドレン室内の液体の水位が異常に上昇した時にこれを検知する第１ドレン室水位検知手段とを備えた中和装置において、前記第２ドレン室内上部に前記第２ドレン室内の液体の水位が異常に上昇した時にこれを検知する第２ドレン室水位検知手段を設け、該第２ドレン室水位検知手段を、前記排出口から正常にドレンが排出されている時に前記容器内に貯溜されたドレンが到達する最高ドレン水位よりも高いところに位置させたことを特徴とする中和装置。
【請求項２】
前記第２ドレン室水位検知手段は２つの電極で構成され、一方は前記第２ドレン室の一側壁としての前記垂下壁寄りの前記第２ドレン室内上部に、その電極の下端が前記最高ドレン水位よりも高いところに位置するように前記容器の上壁部から取り付けられると共に、他方は前記第２ドレン室の一側壁としての前記垂下壁と対向する他側壁寄りの前記第２ドレン室内上部に、その電極の下端が前記最高ドレン水位よりも高いところに位置するように前記容器の上壁部から取り付けられ、前記２つの電極を前記大気連通部を挟むように位置させたことを特徴とする請求項１記載の中和装置。
【請求項３】
前記大気開放部は、前記中和剤を前記容器内に投入するための中和剤投入口とし、該中和剤投入口を塞ぐ導電性を有する蓋体を設け、さらに前記蓋体と絶縁されたグラウンド電極を設け、前記第２ドレン室水位検知手段は、各々金属製のネジ部材からなる電極で前記蓋体を介して容器にねじ込んで取り付けるようにしたことを特徴とする請求項２記載の中和装置。
【請求項４】
燃焼部と、該燃焼部の燃焼により発生した燃焼ガスと熱交換する熱交換器と、該熱交換器での熱交換によって生成されたドレンを中和する中和装置とを有する給湯装置であって、前記中和装置として、請求項１から３の何れか一項に記載の中和装置を用いたことを特徴とする給湯装置。
【発明の詳細な説明】
【技術分野】
【０００１】
この発明は、ドレン水位の異常な上昇を検知する中和装置およびこの中和装置を有する給湯装置に関するものである。
【背景技術】
【０００２】
従来の給湯装置では、燃焼ガスが熱交換器による熱交換で露点以下の温度になることにより生成されるドレンを中和する、図１０に示すような中和装置１０１を有したものがあり、この中和装置１０１は、ドレンや中和剤１０２を収容する容器１０３と、ドレンを容器１０３内に導入する導入口１０４と、ドレンを容器１０３外に排出する排出口１０５と、容器１０３の上壁部から容器１０３の底壁部側に向かって垂直方向に伸設され容器１０３内を仕切る垂下壁１０６と、垂下壁１０６よりも導入口１０４側の第１ドレン室１０７と、垂下壁１０６よりも排出口１０５側であり少なくとも一部の領域において中和剤１０２が充填される中和部１０８を備えた第２ドレン室１０９と、垂下壁１０６の下部において第１ドレン室１０７と第２ドレン室１０９とを連通させる連通部１１０と、第２ドレン室１０９の天面の上壁部に形成された中和剤投入口１１１と、中和剤投入口１１１を塞ぐ蓋体１１２と、導入口１０４と連通する第１ドレン室１０７の上部に設けられ、第１ドレン室１０７内のドレン等の液体の水位が所定水位以上に異常に上昇した時にこれを検知する水位検知手段と１１３とを備え、中和装置１０１の排出口１０５以降の排水路に詰まりを生じる、または、外部から混入するゴミ、塵、煤によって中和装置１０１内に詰まりを生じて、容器１０３内にドレンが溜まっていく状態となった場合に、水位検知手段１１３が容器１０３内のドレンの異常水位を検知し、異常と判断してドレンが容器１０３から溢れ出してしまうことを防止するものであった。（例えば、特許文献１参照。）
【先行技術文献】
【特許文献】
【０００３】
【特許文献１】特開２００６−１０２６１７号公報
【発明の概要】
【発明が解決しようとする課題】
【０００４】
ところで、この従来の中和装置１０１では、排出口１０５と連通する第２ドレン室１０９の天面の上壁部に中和剤投入口１１１や小孔（図示せず）のような容器１０３内を容器１０３外部と連通する大気連通部を設けて、容器１０３内の空気を外部に逃がし、サイフォン現象の発生を防止して、ドレンがスムーズに排水できるようにしているが、中和装置１０１の排出口１０５以降の排水路に詰まりを生じる、または、外部から混入するゴミ、塵、煤によって中和装置１０１内に詰まりを生じて、容器１０３内にドレンが溜まっていき、容器１０３内が図１１に示すような状態となっている時に、給湯栓（図示せず）が開かれて燃焼要求が発生し、給湯装置で燃焼が開始されると、図１２に示すように、その燃焼に伴って第１ドレン室１０７のドレンの液面には燃焼ガス圧が掛かり、第１ドレン室１０７のドレンの液面は低下すると共に、第２ドレン室１０９のドレンの液面が上昇し、さらに、燃焼に伴って新たに発生したドレンが導入口１０４から第１ドレン室１０７内に流入して第２ドレン室１０９のドレン水位が徐々に上昇していき、大気連通部としての中和剤投入口１１１に到達すると、中和剤投入口１１１から容器１０３外へドレンが溢れ出すことになる。この時、第１ドレン室１０７のドレンの液面には燃焼ガス圧が掛かっており、第１ドレン室１０７のドレンの液面は低下しているため、水位検知手段１１３はドレンと接触することがなく、上記のような場合には、異常を検知することができず、ドレンが容器１０３から溢れ出してしまうことを防止するができないという問題を有するものであった。
【課題を解決するための手段】
【０００５】
この発明は、上記課題を解決するために、特に請求項１ではその構成を、燃焼ガスが露点以下の温度となることにより生成されるドレンを、中和剤が充填された容器内を流通させることで中和するものであって、前記容器内部を、前記容器の上壁部から前記容器の底壁部側に向かって略垂直方向に伸設し、前記容器内にドレンを導入させる導入口が設けられた第１ドレン室と前記容器外にドレンを排出させる排出口が設けられた第２ドレン室とに仕切る垂下壁と、該垂下壁の下端側に前記第１ドレン室と前記第２ドレン室とを連通させる水封連通部と、前記第２ドレン室の天面に前記容器内を前記容器外と連通する大気連通部と、前記第１ドレン室内上部に前記第１ドレン室内の液体の水位が異常に上昇した時にこれを検知する第１ドレン室水位検知手段とを備えた中和装置において、前記第２ドレン室内上部に前記第２ドレン室内の液体の水位が異常に上昇した時にこれを検知する第２ドレン室水位検知手段を設け、該第２ドレン室水位検知手段を、前記排出口から正常にドレンが排出されている時に前記容器内に貯溜されたドレンが到達する最高ドレン水位よりも高いところに位置させるものとした。
【０００６】
また、請求項２では、前記第２ドレン室水位検知手段は２つの電極で構成され、一方は前記第２ドレン室の一側壁としての前記垂下壁寄りの前記第２ドレン室内上部に、その電極の下端が前記最高ドレン水位よりも高いところに位置するように前記容器の上壁部から取り付けられると共に、他方は前記第２ドレン室の一側壁としての前記垂下壁と対向する他側壁寄りの前記第２ドレン室内上部に、その電極の下端が前記最高ドレン水位よりも高いところに位置するように前記容器の上壁部から取り付けられ、前記２つの電極を前記大気連通部を挟むように位置させるものとした。
【０００７】
また、請求項３では、前記大気開放部は、前記中和剤を前記容器内に投入するための中和剤投入口とし、該中和剤投入口を塞ぐ導電性を有する蓋体を設け、さらに前記蓋体と絶縁されたグラウンド電極を設け、前記第２ドレン室水位検知手段は、各々金属製のネジ部材からなる電極で前記蓋体を介して容器にねじ込んで取り付けるものとした。
【０００８】
また、請求項４では、燃焼部と、該燃焼部の燃焼により発生した燃焼ガスと熱交換する熱交換器と、該熱交換器での熱交換によって生成されたドレンを中和する中和装置とを有する給湯装置であって、前記中和装置として、請求項１から３の何れか一項に記載の中和装置を用いるものとした。
【発明の効果】
【０００９】
この発明の請求項１によれば、第２ドレン室内上部に第２ドレン室水位検知手段を設け、第２ドレン室水位検知手段を、排出口から正常にドレンが排出されている時に容器内に貯溜されたドレンが到達する最高ドレン水位よりも高いところに位置させるものとしたことで、第２ドレン室水位検知手段は、常態でドレンと接触することはなく、中和装置内に詰まりを生じている状態で燃焼が行われてドレンが溜まっていく際に、燃焼ガス圧によるドレンの液面低下によって第１ドレン室水位検知手段で検知できないドレン水位の異常な上昇を検知することができ、第２ドレン室の天面に設けられた大気連通部から容器外にドレンが溢れ出すのを防止することができるものである。
【００１０】
また、請求項２によれば、第２ドレン室水位検知手段を構成している２つの電極を、大気連通部を挟むように位置させたことで、中和装置が傾いて設置された場合でも、大気連通部にドレンが到達する前に、第２ドレン室水位検知手段が確実にドレンを検知し、大気連通部から容器外にドレンが溢れ出すのを防止することができるものである。
【００１１】
また、請求項３によれば、第２ドレン室水位検知手段を各々金属製のネジ部材としたことで、安価で、しかも電極の機能と蓋体を容器に固定する機能とを併せ持つものとして用いることができ、第２ドレン室水位検知手段は導電性を有する蓋体を介して容器にねじ込んで取り付けることで、蓋体と絶縁されたグラウンド電極に対して、第２ドレン室水位検知手段の全てで１つの陽極とすることができ、制御手段３６と電気的に接続するための配線等を減らすことができるものである。
【００１２】
また、請求項４によれば、燃焼部と、該燃焼部の燃焼により発生した燃焼ガスと熱交換する熱交換器と、該熱交換器での熱交換によって生成されたドレンを中和する中和装置とを有する給湯装置であって、前記中和装置として、請求項１から３の何れか一項に記載の中和装置を用いたことで、上述の効果を奏する中和装置を有した給湯装置を提供することができるものである。
【図面の簡単な説明】
【００１３】
【図１】この発明の一実施形態の中和装置を有する給湯装置を示す概略構成図。
【図２】同一実施形態の中和装置の分解斜視図。
【図３】同一実施形態の中和装置の横断面概略図。
【図４】同一実施形態の中和装置の中和部における縦断面概略図。
【図５】同一実施形態の中和装置における排水が正常に行われている時のドレンの流れを説明する図。
【図６】同一実施形態の中和装置において中和装置内で詰まりが発生した場合のドレンの貯溜状態を示す図。
【図７】同一実施形態の中和装置において中和装置内で詰まりが発生している時に給湯装置が運転された場合のドレンの貯溜状態を示す図。
【図８】同一実施形態の中和装置において中和装置が傾いて配設され且つ中和装置内で詰まりが発生している時に給湯装置が運転された場合のドレンの貯溜状態を示す図。
【図９】同一実施形態の中和装置において中和装置が傾いて配設され且つ中和装置内で詰まりが発生している時に給湯装置が運転された場合のドレンの貯溜状態を示す他の図。
【図１０】従来の中和装置の横断面概略図。
【図１１】従来の中和装置において中和装置内で詰まりが発生した場合のドレンの貯溜状態を示す図。
【図１２】従来の中和装置において中和装置内で詰まりが発生している時に、給湯装置が運転された場合のドレンの貯溜状態を示す図。
【発明を実施するための形態】
【００１４】
次に、この発明の一実施形態の給湯装置を図１〜図４に基づき説明する。
１は本実施形態の潜熱回収型の気化式石油給湯装置、２は石油等の燃油を気化する気化器、３は気化器２に備えられ燃油を気化可能な温度まで加熱する気化器ヒータ、４は気化器２の温度を検出する気化温度センサ、５は気化器２と連通し気化器２で気化された気化ガスと一次空気とを予混合する混合室、６は混合室５底部に設けられ混合室５を加熱する混合室ヒータ、７は混合室５の温度を検出する混合室温度センサ、８は混合室５と連通し混合室５で予混合された予混合ガスを燃焼させる燃焼部としてのバーナ部、９は気化器２の背面でバーナ部８上に突出された複数個の吸熱フィンで、燃焼熱を気化器２にフィードバックして、気化器ヒータ３の通電量を極力抑えるものである。
【００１５】
１０は気化器２に燃油を噴霧するノズル、１１はノズル１０に送油管１２を介して燃油を圧送する電磁ポンプ、１３は燃焼ファンであり、送風路１４を介して気化器２の入口およびバーナ部８とカバー枠１５との間の空気室１６とに連通し、吸込口１７より吸引した燃焼空気を気化器２には予混合用の一次空気として供給し、空気室１６には気化器２側方を通り混合室５の下方からバーナ部８で燃焼される二次空気として供給するものである。
【００１６】
１８は燃焼室１９内に収容された熱交換器で、この熱交換器１８は、バーナ部８の燃焼により発生した燃焼ガスから顕熱を回収し一次受熱管２０を流通する水を加熱するフィンチューブ式の一次熱交換器２１と、一次熱交換器２１を通過した後の燃焼ガスから潜熱を回収し二次受熱管２２を流通する水を加熱する二次熱交換器２３から構成され、バーナ部８の上方に一次熱交換器２１が配置され、一次熱交換器２１の上方に二次熱交換器２３が配置されているものであり、一次熱交換器２１、二次熱交換器２３の順に通過した燃焼ガスは排気口２４より給湯装置１外に排気されるものである。
【００１７】
２５は燃焼ガス中の水蒸気が二次熱交換器２３の二次受熱管２２を流通する水と熱交換して露点以下の温度となることにより生成されるドレンを回収するドレン受けで、ドレン受け２５は、一次熱交換器２１の上方且つ二次熱交換器２３の下方に配置されているものであり、ここでは、二次熱交換器２３を構成する耐食性を有する筐体（図示せず）の底板がドレン受け２５となっているものである。また、２６はドレン受け２５で回収されたドレンを中和装置２７に導くドレン配管である。
【００１８】
２８は給水源から供給される水を熱交換器１８に導く給水管、２９は熱交換器１８で加熱された湯を流通させ、所定箇所に設けられた給湯栓（図示せず）に湯を供給する給湯管、３０は給水管２８から分岐した給水バイパス管であり、一次受熱管２０と二次受熱管２２と給水管２８と給湯管２９と給水バイパス管３０とで水が流通する給湯回路を構成するものである。
【００１９】
３１は給湯管２９と給水バイパス管３０との接続部に設けられ、給湯管２９からの湯と給水バイパス管３０からの水とを混合し、その混合比を可変できる混合弁、３２は給水管２８に設けられ給水温度を検出する給水温度センサ、３３は給水管２８に設けられ流量を検出する流量センサ、３４は給湯管２９に設けられ熱交換器１８で加熱された湯の温度を検出する熱交出口温度センサ、３５は給湯管２９に設けられ、混合弁３１で混合された湯の温度を検出する給湯温度センサである。
【００２０】
３６はマイクロコンピュータを主体として、この潜熱回収型気化式石油給湯装置１の各センサの信号を受け、気化器ヒータ３や混合室ヒータ６や電磁ポンプ１１や燃焼ファン１３等の各アクチュエータの駆動を制御する制御手段である。
【００２１】
３７は前記制御手段３６と通信可能に接続され、潜熱回収型気化式石油給湯装置１の遠隔操作を行うリモコンで、リモコン３７は潜熱回収型気化式石油給湯装置１の運転のオンオフを指示する運転スイッチ３８や、給湯温度を設定するための給湯温度設定スイッチ等からなる操作部３９や、潜熱回収型気化式石油給湯装置１の状態や給湯設定温度等を表示する表示部４０を備えているものである。
【００２２】
次に、前記中和装置２７について、図２〜図４を用いて説明すると、４１は箱形の容器で、合成樹脂製のブロー成型品であり、上壁部４１ａ、底壁部４１ｂ、複数の側壁部４１ｃ〜４１ｆを備えており、容器４１内部は容器４１の上壁部４１ａから容器４１の底壁部４１ｂ側に向かって略垂直方向に伸設される垂下壁４２によって、垂下壁４２より上流側の第１ドレン室４３と、垂下壁４２より下流側の第２ドレン室４４との２つに仕切られ、垂下壁４２の下端側には第１ドレン室４３と第２ドレン室４４とを連通させる水封連通部４５が形成されるものであり、また、第１ドレン室４３の天面の上壁部４１ａにはドレン配管２６からのドレンを容器４１内に導入する導入口４６が設けられ、第２ドレン室４４の側壁部４１ｄ下部にはドレンを容器４１外に排出する排出口４７が設けられているものである。なお、垂下壁４２は容器４１のブロー成型時に形成されるものである。
【００２３】
前記第２ドレン室４４は、第２ドレン室４４の底面の底壁部４１ｂから第２ドレン室４４の天面の上壁部４１ａ側に向かって略垂直方向に伸設される起立壁４８によって仕切られ、起立壁４８よりも水封連通部４５側に上流領域を形成すると共に、起立壁４８よりも排出口４７側に中和剤４９が充填される下流領域としての中和部５０を形成するものである。また、前記起立壁４８の上端を垂下壁４２の下端よりも上側に位置させたことで、垂下壁４２の下端が容器４１内に流入してくるドレン等の液体によって水没する状態、すなわち水封状態を作り出すことができる構成としているものである。なお、起立壁４８は容器４１のブロー成型時に形成されるものである。
【００２４】
５１は第１ドレン室４３の底壁部４１ｂに設けられ、凍結防止等のためにドレンを排水するための水抜口、５２は通常時に水抜口５１を閉口しておくための水抜栓である。
【００２５】
５３は起立壁４８の上端側で第２ドレン室４４の上流領域と下流領域である中和部５０とを連通し、上流領域からのドレンを中和部５０上部から中和部５０内に流入させるドレン流入口である。
【００２６】
前記中和部５０は、ドレン流入口５３から流入してきたドレンを中和するための炭酸カルシウム等の粒体からなる中和剤４９が充填されており、中和部５０の内部は、中和部５０内の一側壁から他側壁側および他側壁から一側壁側に向かって略水平方向に設けられた複数の仕切壁５４、５５によって複数の領域ｓ１〜ｓ３に仕切られ、仕切壁５４、５５の先端側に、上下に隣り合う領域を連通する連通部５６、５７を互い違いに形成して、ドレンが左右方向に蛇行しながら上から下に向かって流通するドレン流入口５３から排出口４７までの蛇行状の中和流路５８を形成するものである。なお、中和部５０内は略全域にわたり中和剤４９が充填されているものであるが、図３中では符号を強調するため一部省略している。
【００２７】
前記仕切壁５４、５５は、中和部５０の一側壁としての起立壁４８上部から中和部５０の他側壁としての側壁部４１ｄ側に向かって略水平方向に伸設された第１仕切壁５４と、第１仕切壁５４よりも下方位置で中和部５０の他側壁としての側壁部４１ｄ下部から中和部５０の一側壁としての起立壁４８側に向かって略水平方向に伸設された第２仕切壁５５とからなり、また、前記領域ｓ１〜ｓ３は、第１仕切壁５４と中和部５０天面の上壁部４１ａとの間に形成され、ドレン流入口５３と連通する第１中和領域ｓ１と、第１仕切壁５４と第２仕切壁５５との間に形成され、第１仕切壁５４の先端側の第１連通部５６を介して第１中和領域ｓ１と連通する第２中和領域ｓ２と、第２仕切壁５５と中和部５０底面の底壁部４１ｂとの間に形成され、第２仕切壁５５の先端側の第２連通部５７を介して第２中和領域ｓ２と連通する第３中和領域ｓ３とからなるものであり、第１中和領域ｓ１および第２中和領域ｓ２および第３中和領域ｓ３は、その容積を比較すると、第１中和領域ｓ１＞第２中和領域ｓ２＞第３中和領域ｓ３の関係性を有しているものである。
【００２８】
前記第１中和領域ｓ１および第２中和領域ｓ２および第３中和領域ｓ３は、具体的には、第１中和領域ｓ１の長手方向の長さと第２中和領域ｓ２の長手方向の長さと第３中和領域ｓ３の長手方向の長さは略同じ長さで、第１中和領域ｓ１の短手方向の幅と第２中和領域ｓ２の短手方向の幅と第３中和領域ｓ３の短手方向の幅は略同じ幅で、第１中和領域ｓ１の高さと第２中和領域ｓ２の高さと第３中和領域ｓ３の高さを比較すると、第１中和領域ｓ１＞第２中和領域ｓ２＞第３中和領域ｓ３の関係性を有するものであり、高さの違いにより各中和領域の容積を比較したときに、第１中和領域ｓ１＞第２中和領域ｓ２＞第３中和領域ｓ３の関係性を有するものである。また、ここでは、ドレンが中和剤４９と接触する接触面積は各中和領域で同程度に設定されているものである。なお、中和剤４９が充填されている量は、第１中和領域ｓ１＞第２中和領域ｓ２＞第３中和領域ｓ３の関係性を有するものである。
【００２９】
また、第３中和領域ｓ３の最下流側は排出口４７と連通しているものであり、排出口４７には、第３中和領域ｓ３から中和剤４９が流出するのを防止するための中和剤流出防止部材（図示せず）が設けられていてもよいものである。
【００３０】
さらに、前記第１仕切壁５４の先端には、第１仕切壁５４の上方向に突出する第１上凸部５９が一体的に形成され、第１上凸部５９があることによりドレンが第１仕切壁５４上に少量溜められる構造となっているものである。また、前記第１仕切壁５４の先端には、第１仕切壁５４の下方向に突出する第１下凸部６０が一体的に形成され、第１下凸部６０があることによりドレンが第１仕切壁５４の裏面へ回り込むのを防止する構造となっているものである。
【００３１】
上記の第１仕切壁５４と同様に、前記第２仕切壁５５の先端には、第２仕切壁５５の上方向に突出する第２上凸部６１が一体的に形成され、第２上凸部６１があることによりドレンが第２仕切壁５５上に少量溜められる構造となっているものである。また、前記第２仕切壁５５の先端には、第２仕切壁５５の下方向に突出する第２下凸部６２が一体的に形成され、第２下凸部６２があることによりドレンが第２仕切壁５５の裏面へ回り込むのを防止する構造となっているものである。
【００３２】
ここで、第１仕切壁５４、第２仕切壁５５、第１上凸部５９、第１下凸部６０、第２上凸部６１、第２下凸部６２は、容器４１のブロー成型時に形成されるものであり、ブロー成型された容器４１から金型を抜くための抜き勾配を得るために、図４に示すように、第１仕切壁５４は、第１仕切壁５４の長手方向の中心軸上にある溝部に向かって下り勾配がつき、第１仕切壁５４の裏面は、第１仕切壁５４裏面の長手方向の中心軸上にある峰部に向かって上り勾配がつくものである。また、第１仕切壁５４と同様に、第２仕切壁５５は、第２仕切壁５５の長手方向の中心軸上にある溝部に向かって下り勾配がつき、第２仕切壁５５の裏面は、第２仕切壁５５裏面の長手方向の中心軸上にある峰部に向かって上り勾配がつくものである。なお、図４中では符号を強調するため中和剤４９を一部省略している。
【００３３】
また、第１上凸部５９の上端は、図４に示すように、少なくとも第１仕切壁５４の前記下り勾配のうち最も高い位置よりも高いところに、第１中和領域ｓ１の幅方向を横断するように位置しており、第１仕切壁５４の溝部と同軸上にある溝部に向かって下り勾配がついているものである。また、第２上凸部６１の上端は、少なくとも第２仕切壁５５の前記下り勾配のうち最も高い位置よりも高いところに、第２中和領域ｓ２の幅方向を横断するように位置しているものであり、第２仕切壁５５の溝部と同軸上にある溝部に向かって下り勾配がついているものである。
【００３４】
さらに、第１下凸部６０の下端は、図４に示すように、第１仕切壁５４の裏面の前記上り勾配のうち最も低い位置よりも低いところに、第２中和領域ｓ２の幅方向を横断するように位置しており、第１仕切壁５４の裏面の峰部と同軸上にある峰部に向かって上り勾配がついているものである。ここで、第１仕切壁５４上のドレンは主として第１上凸部５９の前記溝部付近を乗り越えて流下するので、ドレンのショートカットを防止するために、前記第１下凸部６０は第１仕切壁５４の先端において、少なくとも第１上凸部５９の溝部に対応する第１仕切壁５４の裏面の前記峰部の周辺に形成する必要があるものである。また、第２下凸部６２の下端は、第２仕切壁５５の裏面の前記上り勾配のうち最も低い位置よりも低いところに、第３中和領域ｓ３の幅方向を横断するように位置しており、第２仕切壁５５の裏面の峰部と同軸上にある峰部に向かって上り勾配がついているものである。ここで、第２仕切壁５５上のドレンは主として第２上凸部６１の前記溝部付近を乗り越えて流下するので、ドレンのショートカットを防止するために、前記第２下凸部６２は第２仕切壁５５の先端において、少なくとも第２上凸部６１の溝部に対応する第２仕切壁５５の裏面の前記峰部の周辺に形成する必要があるものである。
【００３５】
次に、６３は第２ドレン室４４の中和部５０の天面の上壁部４１ａに形成され中和部５０内へ中和剤４９を投入するための中和剤投入口で、この中和剤投入口６３は容器４１内を容器４１外部と連通する大気連通部としての機能を有し、容器４１内の空気を外部に逃がし、ドレンが排出される時のサイフォン現象の発生を防止して、ドレンがスムーズに排水できるようにしているものである。また、６４は中和部５０に中和剤４９が充填される前に第１中和領域ｓ１のドレン流入口５３の近傍に配設され、第２ドレン室４４の上流領域への中和剤４９の侵入を防止する耐食性を有する中和剤止め部材であり、ドレン流入口５３から第１中和領域ｓ１に流入したドレンは中和剤止め部材６４の両脇を通過していくものである。
【００３６】
６５は導入口４６が設けられた上壁部４１ａ以外の上壁部４１ａ上に載置される蓋体で、蓋体６５によって中和剤投入口６３を塞ぐ構成としている。また、この蓋体６５は金属製で導電性を有するものである。なお、蓋体６５は中和剤投入口６３を塞ぐものであるが、蓋体６５を取り付けても容器４１内が気密状態になるものではない。
【００３７】
６６は第１ドレン室４３に設けられ、第１ドレン室４３および第２ドレン室４４の上流領域におけるドレン等の液体の水位が所定水位まで上がってきた時にこれを検知する一対の電極からなる水位検知手段としての水封電極で、一対の水封電極６６は略同じ長さで、その上部と下部が露出し、その他の部分は絶縁体６６ａで覆われており、第１ドレン室４３の天面の上壁部４１ａから下方に向かって垂下するように取り付けられ、その下端は垂下壁４２の下端よりも上側に位置しており、水封電極６６が液体の水位を検知した時は、垂下壁４２の下端がドレン等の液体によって水没している時であり、水封電極６６は中和装置２７から燃焼ガスが漏洩しない状態、すなわち中和装置２７が水封状態となったことを検知できるものである。
【００３８】
前記一対の水封電極６６の上端側には、制御手段３６と電気的に接続し水封電極６６に電圧を印加するための一対の配線（図示せず）が接続されており、一対の配線に電圧が印加された時に一対の水封電極６６の先端（下端）部分がドレン等の液体に没していれば、水封電極６６間が導通して電流が流れ、中和装置２７が水封状態であることを検知し、一対の配線に電圧が印加された時に一対の水封電極６６の先端部分がドレン等の液体に没していなければ、電流が流れず、中和装置２７が水封状態でない異常状態であることを検知するものである。
【００３９】
６７は第１ドレン室４３内上部に設けられ、第１ドレン室４３内のドレン等の液体の水位が所定水位以上に異常に上昇した時にこれを検知する第１ドレン室水位検知手段としての第１異常水位検知電極で、第１異常水位検知電極６７は、第１ドレン室４３の天面の上壁部４１ａから下向きに突出するように取り付けられ、その下端は水封電極６６の下端よりも上側で、排出口４７から正常にドレンが排出されている時の最高ドレン水位よりも高いところに位置し、第１異常水位検知電極６７は、中和装置２７内で詰まりが生じた時、例えば水封連通部４５がゴミ、塵、煤で詰まった時などに、第１ドレン室４３のドレン水位の上昇によって容器４１からドレンが溢れ出るのを防止するために、ドレンの異常水位を検知するものである。ここで、前記排出口４７から正常にドレンが排出されている時の最高ドレン水位とは、中和装置２７内または中和装置２７の排出口４７以降の排水路に詰まりがない状態で、前記排出口４７から正常にドレンが排出されている時に、容器４１内に貯溜されたドレンが到達する最高水位のことで、この実施形態では、起立壁４８の上端までの高さに起立壁４８の上端を乗り越えるドレンの高さを加えた高さが最高ドレン水位であり、この高さよりも第１異常水位検知電極６７の下端が高い位置にあれば、常態でドレンと接触することはなく、上述の詰まりといった異常だけを検知することができるものである。
【００４０】
６８は第２ドレン室４４内の上流領域の上部、すなわち第２ドレン室４４の一側壁としての垂下壁４２寄りの上部に設けられ、第２ドレン室４４内のドレン等の液体の水位が所定水位以上に異常に上昇した時にこれを検知する第２ドレン室水位検知手段としての第２異常水位検知電極で、第２異常水位検知電極６８は、第２ドレン室４４の天面の上壁部４１ａから下向きに突出するように取り付けられ、その下端は第２ドレン室４４天面の上壁部４１ａ付近で前記最高ドレン水位よりも高いところに位置し、第２異常水位検知電極６８は、中和装置２７内で詰まりが生じた時などに、第２ドレン室４４の水位の上昇によって容器４１からドレンが溢れ出るのを防止するために、ドレンの異常水位を検知するものである。また、第２異常水位検知電極６８において、第２異常水位検知電極６８の下端が前記最高ドレン水位よりも高い位置にあれば、第１異常水位検知電極６７と同様、常態でドレンと接触することはなく、上述の詰まりといった異常だけを検知することができるものである。
【００４１】
６９は第２ドレン室４４内の中和部５０上部で、且つ第２ドレン室４４の垂下壁４２と対向する他側壁としての排出口４７が設けられた側壁部４１ｄ寄りの上部に設けられ、第２ドレン室４４内のドレン等の液体の水位が所定水位以上に異常に上昇した時にこれを検知する第２ドレン室水位検知手段としての第３異常水位検知電極で、第３異常水位検知電極６９は、第２ドレン室４４の天面の上壁部４１ａから下向きに突出するように取り付けられ、その下端は第２ドレン室４４天面の上壁部４１ａ付近で前記最高ドレン水位よりも高いところに位置し、第３異常水位検知電極６９は、中和装置２７内で詰まりが生じた時などに、第２ドレン室４４の水位の上昇によって容器４１からドレンが溢れ出るのを防止するために、ドレンの異常水位を検知するものである。また、第３異常水位検知電極６９において、第３異常水位検知電極６９の下端が前記最高ドレン水位よりも高い位置にあれば、先に説明した第１異常水位検知電極６７および第２異常水位検知電極６８と同様、常態でドレンと接触することはなく、上述の詰まりといった異常だけを検知することができるものである。
【００４２】
前記第１異常水位検知電極６７および前記第２異常水位検知電極６８および前記第３異常水位検知電極６９の各々は、耐食性を有する金属（ステンレス）製のネジ部材で構成され、蓋体６５および容器４１の上壁部４１ａの所定箇所に形成された孔にねじ込んで容４１器に取り付けることで、蓋体６５を容器４１の上壁部４１ａ上に固定できるものである。なお、一対の水封電極６６も蓋体６５および容器４１の上壁部４１ａの所定箇所に形成された孔に挿通して取り付けられるが、一対の水封電極６６のうち蓋体６５に挿通される部分は絶縁体６６ａで覆われているため、蓋体６５と一対の水封電極６６とは絶縁された状態となっているものである。
【００４３】
また、第１異常水位検知電極６７および第２異常水位検知電極６８および第３異常水位検知電極６９の何れか１つの上端側には、制御手段３６と電気的に接続し電圧を印加するための配線（図示せず）が接続されており、ここで、第１異常水位検知電極６７に前記配線が接続されているものとし、配線に電圧が印加されると、第１異常水位検知電極６７のみならず、導電性を有する蓋体６５を介して第２異常水位検知電極６８および第３異常水位検知電極６９にも電圧が印加される。ここでは、水封電極６６の陰極をグラウンド電極としており、第１異常水位検知電極６７および第２異常水位検知電極６８および第３異常水位検知電極６９の全てで１つの陽極となる。そして、配線に電圧が印加された時に、水封電極６６のグラウンド電極の先端（下端）部分が液体に没しており、且つ第１異常水位検知電極６７および第２異常水位検知電極６８および第３異常水位検知電極６９の少なくとも何れか１つの電極の先端（下端）部分が液体に没していれば、電極間が導通して電流が流れ、中和装置２７内のドレン等の液体の水位が異常に上昇した状態であることを検知し、水封電極６６のグラウンド電極の先端（下端）部分が液体に没しているが、第１異常水位検知電極６７および第２異常水位検知電極６８および第３異常水位検知電極６９の何れの電極も液体に没していなければ、電極間で導通しないので電流が流れず、中和装置２７内の液体の水位は正常の状態であることを検知するものである。
【００４４】
次に、この一実施形態の潜熱回収型気化式石油給湯装置１の動作について説明する。
前記リモコン３７の運転スイッチ３８がオンされると、前記制御手段３６は、気化温度センサ４の検出する温度に基づき気化器ヒータ３を制御すると共に、混合室温度センサ７の検出する温度に基づき混合室ヒータ６を制御し、気化器２および混合室５の予熱を行い、気化器２が燃油を気化可能な温度、例えば気化器２の温度が２２０℃〜２２５℃に維持され、混合室５の温度が１２５℃〜１３０℃に維持されるスタンバイ状態となる。このスタンバイ状態では、燃焼要求が発生した場合には素早くバーナ部８を着火でき、必要最低限の温度を維持することでスタンバイ時の消費電力を低減することができるものである。
【００４５】
前記スタンバイ状態において、給湯栓が開栓され、流量センサ３３が最低作動流量以上の流量を検出して燃焼要求が発生したと前記制御手段３６が判断すると、気化器ヒータ３および混合室ヒータ６を強制的にオンして着火性を良くし、電磁ポンプ１１および燃焼ファン１３を駆動させて、気化器２で気化された気化ガスと一次空気とを混合室５で予混合し、予混合ガスをバーナ部８より噴出して燃焼を開始させるものである。
【００４６】
前記バーナ部８の燃焼により発生した燃焼ガスは、一次熱交換器２１を流通し、一次熱交換器２１を通過した後、二次熱交換器２３を流通し、二次熱交換器２３を通過した後、排気口２４から潜熱回収型気化式石油給湯装置１外へ排出されるものである。また、給水源から供給された水は、給水管２８から二次受熱管２２に導かれ、二次受熱管２２から一次受熱管２０へ順に流通して、ここで燃焼ガスとの熱交換により加熱され、そして、一次受熱管２０から給湯管２９へ導かれ、混合弁３１の開度調整によって給湯設定温度に温調された湯が最終的に給湯栓から給湯されるものである。
【００４７】
この時、二次熱交換器２３において、二次受熱管２２を流通する水と燃焼ガスとが熱交換され、燃焼ガス中の水蒸気が露点以下となることにより生成されたドレンは、ドレン受け２５で回収され、ドレン配管２６を介して導入口４６から中和装置２７内に流れ込み、中和部５０において、左右方向に蛇行しながら上から下に向かう中和流路５８を流通する過程で中和剤４９により中和された後、排出口４７から中和装置２７外に排出され、所定箇所の下水に排水されるものである。なお、潜熱回収型気化式石油給湯装置１を屋内に設置する場合、燃焼ガスが屋内に排出されないように、潜熱回収型気化式石油給湯装置１の初めての運転を開始する前に、水封電極６６が水封状態を検知するまで給水し、中和装置２７を予め水封状態にしておくものである。
【００４８】
ここで、潜熱回収型気化式石油給湯装置１のバーナ部８で燃焼が行われている時の中和装置２７内のドレンの流れを図５を用いて説明するが、図５中では中和装置２７内のドレンの状態を強調するため一部の符号と中和剤４９を省略するものとする。まず、前記導入口４６から中和装置２７内に流れ込んだドレンは、第１ドレン室４３から水封連通部４５を介して第２ドレン室４４に流入し、第２ドレン室４４の上流領域のドレンが起立壁４８の高さ以上に貯溜すると、起立壁４８を乗り越えドレン流入口５３を介して中和部５０の第１中和領域ｓ１に流入する。
【００４９】
前記中和部５０の第１中和領域ｓ１に流入したドレンは、第１仕切壁５４上に貯溜していき、第１中和領域ｓ１の主に第１仕切壁５４上で中和剤４９と接して中和されるものであるが、ここで、第１仕切壁５４の先端に第１上凸部５９を設けたことで、第１仕切壁５４上にはドレンが少量貯溜する構造となり、第１仕切壁５４上には多少なりとも中和されたドレンが貯溜しており、ドレン流入口５３から新たに第１仕切壁５４上に流入してくる強酸性のドレンは、第１仕切壁５４上に貯溜された多少なりとも中和されたドレンと混ざりあって希釈され、ドレンの中和が促進されるものであり、さらに、第１仕切壁５４の単位長さ当たりのドレンと中和剤４９との接触面積が増えるので、ドレンを中和する能力が向上し、中和部５０ひいては中和装置２７をコンパクトにすることができるものであり、その上、第１中和領域ｓ１の幅方向の両端、すなわち第１仕切壁５４の短手方向の両端にある中和剤４９までドレンが接触し、第１仕切壁５４上の略全域でドレンと中和剤４９が接触するので、中和剤４９の消耗が片寄ることなく第１中和領域ｓ１の中和剤４９を均一に減らすことができ、ドレンを中和する能力が低下するおそれがないものである。
【００５０】
そして、第１仕切壁５４の先端側の第１上凸部５９の高さ以上にドレンが貯溜すると、ドレンは第１上凸部５９を乗り越えて、第２中和領域ｓ２に流下していくものであるが、ここで、第１仕切壁５４の先端に第１下凸部６０を設けたことで、ドレンが第１仕切壁５４の裏面へ回り込むのを防いで中和流路５８でのドレンのショートカットを防止でき、中和処理時間が減少することなく十分な中和処理がなされるものである。
【００５１】
続いて、第１上凸部５９を乗り越えて、第１連通部５６を介して第２中和領域ｓ２に流入したドレンは、第２仕切壁５５上に貯溜していき、第２中和領域ｓ２の主に第２仕切壁５５上で中和剤４９と接して中和されるものであるが、ここで、第２仕切壁５５の先端に第２上凸部６１を設けたことで、第２仕切壁５５上にはドレンが少量貯溜する構造となり、第２仕切壁５５上には多少なりとも中和されたドレンが貯溜しており、第１連通部５６を新たに通過してくるドレンは、第２仕切壁５５上に貯溜された多少なりとも中和されたドレンと混ざりあって希釈され、ドレンの中和が促進されるものであり、さらに、第２仕切壁５５の単位長さ当たりのドレンと中和剤４９との接触面積が増えるので、ドレンを中和する能力が向上し、中和部５０ひいては中和装置２７をコンパクトにすることができるものであり、その上、第２中和領域ｓ２の幅方向の両端、すなわち第２仕切壁５５の短手方向の両端にある中和剤４９までドレンが接触し、第２仕切壁５５上の略全域でドレンと中和剤４９が接触するので、中和剤４９の消耗が片寄ることなく第２中和領域ｓ２の中和剤４９を均一に減らすことができ、ドレンを中和する能力が低下するおそれがないものである。
【００５２】
そして、第２仕切壁５５の先端側の第２上凸部６１の高さ以上にドレンが貯溜すると、ドレンは第２上凸部６１を乗り越えて、第３中和領域ｓ３に流下していくものであるが、ここで、第２仕切壁５５の先端に第２下凸部６２を設けたことで、ドレンが第２仕切壁５５の裏面へ回り込むのを防いで中和流路５８でのドレンのショートカットを防止でき、中和処理時間が減少することなく十分な中和処理がなされるものである。
【００５３】
続いて、第２上凸部６１を乗り越えて、第２連通部５７を介して第３中和領域ｓ３に流入したドレンは、中和部５０の底面の底壁部４１ｂ上に貯溜していき、第３中和領域ｓ３の主に底壁部４１ｂ上で中和剤４９と接して中和され、最終的に排出口４７から中和装置２７外に排出され、所定箇所の下水に排水されるものであるが、ここで、中和部５０の底壁部４１ｂ上は排出口４７までの高さ分ドレンが少量貯溜する構造となり、中和部５０の底壁部４１ｂ上には多少なりとも中和されたドレンが貯溜しており、第２連通部５７を新たに通過してくるドレンは、中和部５０の底壁部４１ｂ上に貯溜された多少なりとも中和されたドレンと混ざりあって希釈され、ドレンの中和が促進されるものであり、さらに、中和部５０の底壁部４１ｂ上の単位長さ当たりのドレンと中和剤４９との接触面積が増えるので、ドレンを中和する能力が向上し、中和部５０ひいては中和装置２７をコンパクトにすることができるものであり、その上、第３中和領域ｓ３の幅方向の両端、すなわち中和部５０の底壁部４１ｂの短手方向の両端にある中和剤４９までドレンが接触し、中和部５０の底壁部４１ｂ上の略全域でドレンと中和剤４９が接触するので、中和剤４９の消耗が片寄ることなく第３中和領域ｓ３の中和剤４９を均一に減らすことができ、ドレンを中和する能力が低下するおそれがないものである。
【００５４】
また、本実施形態では、中和部５０の第１中和領域ｓ１および第２中和領域ｓ２および第３中和領域ｓ３の容積は、第１中和領域ｓ１＞第２中和領域ｓ２＞第３中和領域ｓ３の関係性を有し、中和剤４９が充填されている量も第１中和領域ｓ１＞第２中和領域ｓ２＞第３中和領域ｓ３の関係性を有するもので、中和部５０の上下に隣り合う領域のうち、ドレンの流れ方向において上流側の領域の容積を、ドレンの流れ方向において下流側の領域の容積より大きくするようにしており、ドレン流入口５３に近い第１中和領域ｓ１ほどその容積が大きくなっている。ここで、中和部５０におけるドレンは、ドレン流入口５３側に近いほど強酸性であり、排出口４７側に近いほど中性に近く、各々の中和領域ｓ１、ｓ２、ｓ３でドレンの酸性度を比較すると、第１中和領域ｓ１＞第２中和領域ｓ２＞第３中和領域ｓ３の関係性を有し、ドレンの酸性度が強いほど中和剤４９の消耗量が多くなることから、各々の中和領域ｓ１、ｓ２、ｓ３で中和剤４９の消耗量を比較すると、第１中和領域ｓ１＞第２中和領域ｓ２＞第３中和領域ｓ３の関係性を有するものである。よって、上述のように中和部５０の上下に隣り合う領域のうち、ドレンの流れ方向において上流側の領域の容積を、ドレンの流れ方向において下流側の領域の容積より大きくするようにしたことで、上下に隣り合う領域のうち、ドレンの流れ方向において上流側の領域に充填される中和剤４９の量が、ドレンの流れ方向において下流側の領域に充填される中和剤４９の量に比べて多くなり、長期間使用した後において、例えばドレン流入口５３に近い第１中和領域ｓ１の中和剤４９が、第２中和領域ｓ２の中和剤４９に対して先に消耗されて無くなってしまうというようなことや、第２中和領域ｓ２の中和剤４９が、第３中和領域ｓ３の中和剤４９に対して先に消耗されて無くなってしまうというようなことがなく、各中和領域ｓ１、ｓ２、ｓ３の中和剤４９が略同時になくなるようにできるので、長期間使用後の中和剤４９の残量の偏りを抑制でき、ドレンを中和する能力が低下することなく、長期間にわたり安定した中和処理を行うことができるものである。なお、各中和領域ｓ１、ｓ２、ｓ３の容積は、ドレンを流したときの中和剤４９の残量を確認する実験を予め行い、その実験結果に基づいて適宜設定すればよいものである。
【００５５】
さらに、前記第１中和領域ｓ１および第２中和領域ｓ２および第３中和領域ｓ３は、具体的には、第１中和領域ｓ１の長手方向の長さと第２中和領域ｓ２の長手方向の長さと第３中和領域ｓ３の長手方向の長さは略同じ長さで、第１中和領域ｓ１の短手方向の幅と第２中和領域ｓ２の短手方向の幅と第３中和領域ｓ３の短手方向の幅は略同じ幅で、第１中和領域ｓ１の高さと第２中和領域ｓ２の高さと第３中和領域ｓ３の高さは、第１中和領域ｓ１＞第２中和領域ｓ２＞第３中和領域ｓ３の関係性を有し、ドレン流入口５３に近い第１中和領域ｓ１ほど高さが高くなっており、中和部５０の上下に隣り合う領域のうち、ドレンの流れ方向において上流側の領域の高さを、ドレンの流れ方向において下流側の領域の高さより高くして、ドレンの流れ方向において上流側の領域の容積を、ドレンの流れ方向において下流側の領域の容積より大きくしたことで、上流側の領域ほどドレンと接触しない中和剤４９を効率よく十分に収容することができ、また、中和部５０は、各中和領域の長手方向の長さは略同じ長さで、各中和領域の短手方向の幅が略同じ幅で、各中和領域の高さが異なる、全体として直方体形状をしていることで、中和装置２７を器具内に設置するときの設置性が良好で、無駄なスペースを使用することがないものである。
【００５６】
次に、中和装置２７の排出口４７以降の排水路に詰まりを生じる、または、外部から混入するゴミ、塵、煤によって中和装置２７内に詰まりを生じて、容器４１内にドレンが溜まっていく状態となった場合の動作について、図６、図７を用いて説明するが、図６、図７中では中和装置２７内のドレンの状態を強調するため一部の符号と中和剤４９を省略するものとする。
【００５７】
まず、上記のような原因により詰まりを生じて容器４１内に徐々にドレンが貯溜していき、図６に示すような状態となった後に、給湯栓が開栓され、流量センサ３３が最低作動流量以上の流量を検出して燃焼要求が発生し、バーナ部８で燃焼が行われると、図７に示すように、その燃焼に伴って第１ドレン室４３のドレンの液面には燃焼ガス圧が掛かり、第１ドレン室４３のドレンの液面は低下すると共に、第２ドレン室４４のドレンの液面が上昇し、さらに、燃焼に伴って新たに発生したドレンが導入口４６から第１ドレン室４３内に流入していく。そして、第２ドレン室４４のドレン水位が徐々に上昇していき、第２異常水位検知電極６８と水封電極６６のグラウンド電極との間、または第３異常水位検知電極６９と水封電極６６のグラウンド電極との間で導通してドレンを検知し、容器４１内のドレン水位が異常状態であると制御手段３６が判断すると、燃焼を停止させて新たなドレンの流入を防ぎ、リモコン３７の表示部４０に詰まりが生じている旨のエラーを表示させたり、リモコン３７のスピーカー（図示せず）から警告音を報知させたりするものである。
【００５８】
このように、第２ドレン室４４内の上部であって、排出口４７から正常にドレンが排出されている時に容器４１内に貯溜されたドレンが到達する最高ドレン水位より高いところに、第２異常水位検知電極６８または第３異常水位検知電極６９を位置させたことで、第２異常水位検知電極６８または第３異常水位検知電極６９は、常態でドレンと接触することはなく、第２異常水位検知電極６８または第３異常水位検知電極６９は、中和装置２７内に詰まりを生じている状態で燃焼が行われて容器４１内にドレンが溜まっていく際に、燃焼ガス圧による第１ドレン室４３のドレンの液面低下によって第１異常水位検知電極６７で検知できない容器４１内のドレン水位の異常な上昇を検知することができ、第２ドレン室４４の天面に設けられた中和剤投入口６３のような大気連通部から容器４１外にドレンが溢れ出すのを防止することができ、中和装置２７周辺に設置されている部品等が、ドレンによって汚染されることがないものである。
【００５９】
また、第１異常水位検知電極６７および前記第２異常水位検知電極６８および前記第３異常水位検知電極６９の各々は、金属製のネジ部材としたことで、安価で、しかも電極の機能と蓋体６５を容器４１に固定する機能とを併せ持つものとして用いることができ、第１異常水位検知電極６７を導電性を有する蓋体６５を介して容器４１にねじ込んで取り付けると共に、第２異常水位検知電極６８および第３異常水位検知電極６９を導電性を有する蓋体６５を介して容器４１にねじ込んで取り付けることで、例えば、第１異常水位検知電極６７に配線を接続して電圧を印加した時に、蓋体６５を介して第１異常水位検知電極６７および第２異常水位検知電極６８および第３異常水位検知電極６９が全て同じ極性となり、蓋体６５と絶縁されている水封電極６６のグラウンド電極（陰極）に対して、第１異常水位検知電極６７および第２異常水位検知電極６８および第３異常水位検知電極６９の全てで１つの陽極とすることができ、制御手段３６と電気的に接続するための配線等を減らすことができるものである。
【００６０】
次に、潜熱回収型気化式石油給湯装置１そのものが傾いて設置されて中和装置２７が傾いている場合や、中和装置２７を取り付ける際に傾いて取り付けられてしまった場合であって、且つ中和装置２７の排出口４７以降の排水路に詰まりを生じる、または、外部から混入するゴミ、塵、煤によって中和装置２７内に詰まりを生じて、容器４１内にドレンが溜まっていく状態となった場合の動作について、図８、図９を用いて説明するが、図８、図９中では中和装置２７内のドレンの状態を強調するため一部の符号と中和剤４９を省略するものとする。
【００６１】
まず、図８に示すように、導入口４６側が下方に向かって傾いている場合であって、且つ詰まりが生じている場合に、給湯栓が開栓され、流量センサ３３が最低作動流量以上の流量を検出して燃焼要求が発生し、バーナ部８で燃焼が行われると、その燃焼に伴って第１ドレン室４３のドレンの液面には燃焼ガス圧が掛かり、第１ドレン室４３のドレンの液面は低下すると共に、第２ドレン室４４のドレンの液面が上昇し、さらに、燃焼に伴って新たに発生したドレンが導入口４６から第１ドレン室４３内に流入していく。そして、第２ドレン室４４のドレン水位が徐々に上昇していき、導入口４６側が下方に向かって傾いている分、第２ドレン室４４の垂下壁４２側のドレン水位が第２ドレン室４４の側壁部４１ｄ側のドレン水位に比べて高くなるので、第２異常水位検知電極６８がドレンと接触し、第２異常水位検知電極６８と水封電極６６のグラウンド電極との間で導通してドレンを検知し、容器４１内のドレン水位が異常状態であると制御手段３６が判断すると、燃焼を停止させて新たなドレンの流入を防ぎ、リモコン３７の表示部４０に詰まりが生じている旨のエラーを表示させたり、リモコン３７のスピーカー（図示せず）から警告音を報知させたりするものである。
【００６２】
また、図９に示すように、排出口４７側が下方に向かって傾いている場合であって、且つ詰まりが生じている場合に、給湯栓が開栓され、流量センサ３３が最低作動流量以上の流量を検出して燃焼要求が発生し、バーナ部８で燃焼が行われると、その燃焼に伴って第１ドレン室４３のドレンの液面には燃焼ガス圧が掛かり、第１ドレン室４３のドレンの液面は低下すると共に、第２ドレン室４４のドレンの液面が上昇し、さらに、燃焼に伴って新たに発生したドレンが導入口４６から第１ドレン室４３内に流入していく。そして、第２ドレン室４４のドレン水位が徐々に上昇していき、排出口４７側が下方に向かって傾いている分、第２ドレン室４４の側壁部４１ｄ側のドレン水位が第２ドレン室４４の垂下壁４２側のドレン水位に比べて高くなるので、第３異常水位検知電極６９がドレンと接触し、第３異常水位検知電極６９とグラウンド電極との間で導通してドレンを検知し、容器４１内のドレン水位が異常状態であると制御手段３６が判断すると、燃焼を停止させて新たなドレンの流入を防ぎ、リモコン３７の表示部４０に詰まりが生じている旨のエラーを表示させたり、リモコン３７のスピーカー（図示せず）から警告音を報知させたりするものである。
【００６３】
このように、第２異常水位検知電極６８が垂下壁４２寄りの第２ドレン室４４内上部に設けられると共に、第３異常水位検知電極６９が垂下壁４２と対向する排出口４７が設けられた側壁部４１ｄ寄りの上部に設けられ、第２異常水位検知電極６８および第３異常水位検知電極６９を、中和剤投入口６３のような大気連通部を挟むように位置させたことで、中和装置２７が傾いて設置された場合でも、中和剤投入口６３のような大気連通部にドレンが到達する前に、第２異常水位検知電極６８または第３異常水位検知電極６９の何れか一方が確実にドレンを検知し、中和剤投入口６３のような大気連通部から容器４１外にドレンが溢れ出すのを防止することができるものである。
【符号の説明】
【００６４】
８  バーナ部
１８  熱交換器
２７  中和装置
４１  容器
４２  垂下壁
４３  第１ドレン室
４４  第２ドレン室
４５  水封連通部
４６  導入口
４７  排出口
４９  中和剤
６３  中和剤投入口
６５  蓋体
６６  水封電極
６７  第１異常水位検知電極
６８  第２異常水位検知電極
６９  第３異常水位検知電極
【図１】
0005778614.tif 000002
【図２】
0005778614.tif 000003
【図３】
0005778614.tif 000004
【図４】
0005778614.tif 000005
【図５】
0005778614.tif 000006
【図６】
0005778614.tif 000007
【図７】
0005778614.tif 000008
【図８】
0005778614.tif 000009
【図９】
0005778614.tif 000010
【図１０】
0005778614.tif 000011
【図１１】
0005778614.tif 000012
【図１２】
0005778614.tif 000013